(57)【要約】      （修正有）【課題】独立した表示具であって梱包ベルトへの固・脱着が容易であり、かつ表示票の交換も容易で、情報の変更に対応しやすい梱包ベルト用表示具を提供する。【解決手段】透明な表面フィルム１および半透明または不透明な裏面フィルム２からなる袋体であり、表面フィルム１の内側上端部に面ファスナー３を付設し、裏面フィルム２の上端４を面ファスナー３の下端５より低い位置とし、かつ裏面フィルム２にその上端４より面ファスナー３と重なる位置まで突出した、少なくとも１つの係留部６を設けてなり、面ファスナー３と梱包ベルトに付設した面ファスナーとを係合することにより梱包ベルトへの固・脱着を可能とした梱包ベルト用表示具とする。【選択図】図１
2005292647.tif 000002
【特許請求の範囲】
【請求項１】
梱包ベルトに固・脱着するプラスチック製の表示具であって、透明な表面フィルム１および半透明または不透明な裏面フィルム２からなる袋体であり、表面フィルム１の内側上端部に面ファスナー３を付設し、裏面フィルム２の上端４を面ファスナー３の下端５より低い位置とし、かつ裏面フィルム２にその上端４より面ファスナー３と重なる位置まで突出した、少なくとも１つの係留部６を設けてなり、面ファスナー３と梱包ベルトに付設した面ファスナーとを係合することにより梱包ベルトへの固・脱着を可能としたことを特徴とする梱包ベルト用表示具。
【請求項２】
係留部６が、孔あきの突出部である請求項１に記載の表示具。
【請求項３】
該袋体の一方側辺の上部７において表面フィルム１と裏面フィルム２とを付着させず、その部分が袋体の上辺と連続して開口可能とした請求項１または２に記載の表示具。
【発明の詳細な説明】
【技術分野】
【０００１】
本発明は、各種表示票を収容する表示具に関し、さらに詳しくは梱包用ベルトに固・脱着する表示具に関する。
【背景技術】
【０００２】
ダンボール箱などの各種の包装容器に収納された荷物の梱包のためには、梱包用ベルトが使用されることが多い。
また、梱包された荷物（梱包体）にはその内容や扱いについての情報を表示することが普通であり、包装容器の外面に情報を印刷したり、表示票を粘着テープなどで固着することが行なわれている。しかし上記の表示手段は、その都度表示票を粘着テープで取り付けなければならず作業性が悪い、表示票、粘着テープとも繰り返し使用できず廃棄しなければならない、冷蔵倉庫の様な湿気を含む環境下では表示票が変形する、等の点で不便であり、情報の変更などへの対応が困難である。
【０００３】
上記問題を解決するものとして、梱包用ベルトの一部に情報シート（表示票）の出し入れを自由にした表示ポケットを設けた梱包用ベルトが提案されている（例えば、特許文献１参照）。しかし、この梱包用ベルトは、表示ポケットが梱包用ベルトの大きさに制限されること、及び表示ポケットをベルトに一体に設けることから、梱包用ベルトの製造コスト増加と、表示ポケットの位置を荷物に合うように変更できない点で使用に制限がある。
【０００４】
【特許文献１】特開２００３−５４６２４号公報
【発明の開示】
【発明が解決しようとする課題】
【０００５】
本発明は上記の背景技術の問題を解決するもので、独立した表示具であって梱包ベルトに固・脱着が容易であり、かつ表示票の交換も容易で、情報の変更に対応しやすい梱包ベルト用表示具を提供することを目的とする。
【課題を解決するための手段】
【０００６】
本発明は、上記のような課題を解決するためになされたものである。
而して本発明は、梱包ベルトに固・脱着するプラスチック製の表示具であって、透明な表面フィルム１および半透明または不透明な裏面フィルム２からなる袋体であり、表面フィルム１の内側上端部に面ファスナー３を付設し、裏面フィルム２の上端４を面ファスナー３の下端５より低い位置とし、かつ裏面フィルム２にその上端４より面ファスナー３と重なる位置まで突出した、少なくとも１つの係留部６を設けてなり、面ファスナー３と梱包ベルトに付設した面ファスナーとを係合することにより梱包ベルトへの固・脱着を可能としたことを特徴とする梱包ベルト用表示具である。
【発明の効果】
【０００７】
本発明の表示具は、梱包ベルトへの固・脱着を容易に行うことができ、また、必要に応じて表示票の交換を容易に行うことができるものである。
【発明を実施するための最良の形態】
【０００８】
以下、図を参照して本発明の表示具を説明する。
図１は本発明の表示具の１例の、袋体の一方側辺の上部が袋体の上辺と連続して開口された状態を示す斜視図であり、図２は、同表示具を展開した平面図である。
【０００９】
図において、１は透明なプラスチックフィルムからなる表面フィルムであり、その内側上端部には、表面フィルム１の上辺と平行に面ファスナー３が付設されている。
【００１０】
表面フィルム１は、表示票に記載された情報を認識する必要があり、透明なプラスチックフィルムで形成する。かかる透明なプラスチックフィルムとしては、任意のプラスチックが使用できるが、ポリエチレン、ポリプロピレン、ポリエステル、ポリアミドなどのフィルムが好ましい例である。
【００１１】
表示具を梱包ベルトに固・脱着するための手段としての面ファスナーとしては、対をなす面ファスナー同士が、互いの表面に形成されたループ状係合素子とフック状係合素子とが引っかかることにより係合する方式のものが使用可能であり、対をなす面ファスナーの一方を面ファスナー３として表面フィルム１に付設し、梱包ベルトに設けた他方の面ファスナーと係合可能とする。
【００１２】
梱包ベルトに付設する面ファスナーとしては、他の繊維などとの係合を避けるために、ループ状係合素子を持つ面ファスナーを使用するのが好ましいことから、それに対応して、本発明の表示具の面ファスナー３としては、フック状係合素子を持つ面ファスナーを使用するのが好ましい。
ただし、フック・ループ混在型面ファスナーを、梱包ベルトと本発明の表示具の各々に付設することもできる。
面ファスナー３の長さ及び幅は、表示具の大きさや梱包体の状態に応じて適宜選択すれば良いが、長さは表面フィルムの幅の２０〜１００％程度が好ましく、幅は５〜１００ｍｍ程度が好ましい。
面ファスナー３は接着または融着により、表面フィルム１に付設する。
【００１３】
表面フィルム１に相対して、裏面を構成する裏面フィルム２が設けられる。
裏面フィルム２は、表面と裏面の区別が困難となり、使用時に不便となることを防止するため、半透明または不透明のプラスチックフィルムで形成する。かかる、プラスチックフィルムの材質としては、例えばポリエチレン、ポリプロピレン、ポリエステル、ポリアミド等を挙げることができる。
透明と半透明の区別は厳密である必要はなく、目視して背景がかすかに可視できるものを半透明とし、ほぼ可視できないものを不透明とする。また、裏面フィルム２を適当な色彩に着色したものとすることもできる。
【００１４】
図１に示すように、本発明の表示具は表面フィルム１と裏面フィルム２とを合わせて袋体としたものである。
図２に示すように、裏面フィルム２の上端４は、袋体の状態で、表面フィルム１の上端部に設けられた面ファスナー３の下端５よりも低くなる位置とする。これは、裏面フィルム２の上端部が面ファスナー３に重なって、面ファスナー３の係合力を低下させることを防ぐためである。
而して、袋体の状態での、裏面フィルム２の上端４と面ファスナー３の下端５との距離は、０〜５ｍｍの範囲が好ましく、特に１〜３ｍｍの範囲が好ましい。
【００１５】
裏面フィルム２には、その上端４より面ファスナー３と重なる位置まで突出した、少なくとも１つの係留部６を設ける。
係留部６は面ファスナー３と重なる位置までにあるため、本発明の表示具を梱包ベルトに固着した時に、面ファスナー３の係合によって押さえつけられ、袋体が反転した場合でも、裏面の封止を確実にして、不要な開口により表示票が散逸することを防止する。
【００１６】
本発明の表示具である袋体は、表面フィルム１と裏面フィルム２とが、底辺と両側辺で付着し、上辺のみが開口した形であっても良いが、上辺だけの開口では、薄い表示票を袋体に入れるのが困難となる場合があるので、一方の側辺上部７において表面フィルム１と裏面フィルム２とを付着させず、図１に示すように側辺上部７が袋体の上辺と連続して開口可能となるようにし、表示票の出し入れを容易にするのが好ましい。
【００１７】
係留部６の形状は、特に制約はなく任意にすることができ、例えば、図に示した矩形の突片のほか、三角形、半円状の突片などにしてもよい。図に示した孔あきの構造は、該孔部分において面ファスナーが係合できるので、面ファスナー３と重なって係合に関与できない面ファスナー３の割合を減ずることになり、梱包ベルトの面ファスナーとの係止低下を防ぐことができる。
係留部６の大きさおよび個数は、袋体の大きさに応じて設計することができる。
また、上記のように、係留部６は不要な開口を防ぐためのものであるので、開口した側辺上部７を設ける場合には、係留部の位置は該側辺上部７に近い位置とするのが好ましい。
【００１８】
本発明の表示具を固・脱着する相手である梱包用ベルトには、本発明の表示具の表面フィルムに付設される面ファスナー３と対をなす、すなわち、面ファスナー３と係合可能な面ファスナーであって、面ファスナー３と同一サイズまたはそれ以上のサイズの面ファスナーを付設する。上記のように、梱包用ベルトに付設する面ファスナーとしては、ループ面ファスナーが好ましい。
【００１９】
本発明の表示具は、その表面フィルムに付設された面ファスナー３と梱包用ベルトに付設された面ファスナーとが係合することにより、梱包用ベルトに固着される。
表示具内の表示票は透明な表面フィルム１を通して目視できる。また、裏面フィルム２の係留部６によって、表示具が風などによりひらひら動いても、袋体が開口することなく、表示票が表示具から流出することがない。
また、必要な場合は、表示具の上端を持って面ファスナーの係合をはがせば、表示具を梱包用ベルトから容易に脱着させることができる。
【産業上の利用可能性】
【００２０】
本発明による表示具は、梱包ベルトに容易に固・脱着でき、必要に応じて表示票の交換を容易に行うことができるので、着脱や表示票の交換の頻繁な梱包体への使用に特に適している。
【図面の簡単な説明】
【００２１】
【図１】本発明による表示具の１例を示す斜視図。
【図２】図１に示す表示具の展開平面図。
【符号の説明】
【００２２】
１：表面フィルム
２：裏面フィルム
３：面ファスナー
４：裏面フィルムの上端
５：面ファスナーの下端
６：係留部
７：側辺上部開放部
【図１】
2005292647.tif 000003
【図２】
2005292647.tif 000004